(57)【要約】【課題】簡単な仕切壁の構成により放熱パイプの熱が意匠板の折り曲げ部から貯蔵室側へ侵入するのを防ぎ、冷蔵庫の消費電力を抑制することを目的とする。【解決手段】仕切板１２によって区画された複数の貯蔵室を有する冷蔵庫であって、仕切板１２の一端側には、意匠板１５が取り付けられる空隙部２３が開口し、空隙部２３内には、意匠板１５に当接して放熱パイプが設置され、仕切板１２には、空隙部２３と貯蔵室との間に形成され断熱材が充填された膨出部２６が設けられる。【選択図】図５
2015148381.tif 000002
【特許請求の範囲】
【請求項１】
仕切板によって区画された複数の貯蔵室を有する冷蔵庫であって、
前記仕切板の一端側には、意匠板が取り付けられる空隙部が開口し、
前記空隙部内には、前記意匠板に当接して放熱パイプが設置され、
前記仕切板には、前記空隙部と前記貯蔵室との間に形成され断熱材が充填された膨出部が設けられることを特徴とする冷蔵庫。
【請求項２】
前記膨出部は、前記仕切板に隣接する複数の前記貯蔵室のうちの少なくとも一方の貯蔵室側に設けられていることを特徴とする請求項１に記載の冷蔵庫。
【請求項３】
前記膨出部は、前記仕切板に隣接する複数の前記貯蔵室のうちの両方の貯蔵室側に設けられていることを特徴とする請求項１に記載の冷蔵庫。
【請求項４】
前記膨出部は、前記仕切板に隣接する複数の前記貯蔵室のうち、庫内温度が低い貯蔵室側のみに設けられていることを特徴とする請求項１に記載の冷蔵庫。
【請求項５】
前記意匠板は、前面部と前記前面部の両端から折り曲げられた一対の折り曲げ部とにより断面コの字形状で構成され、前記一対の折り曲げ部が前記空隙部の上面と下面とに当接して設置されることを特徴とする請求項１〜４のいずれか１項に記載の冷蔵庫。
【請求項６】
前記仕切板は内部に内部空間を有する仕切壁を外郭として構成され、
前記内部空間と前記膨出部とは連通するとともに、発泡断熱材が充填されていることを特徴とする請求項１〜５のいずれか１項に記載の冷蔵庫。
【請求項７】
前記仕切板は内部に内部空間を有する仕切壁を外郭として構成され、
少なくとも前記膨出部には、真空断熱材が充填されていることを特徴とする請求項１〜５のいずれか１項に記載の冷蔵庫。
【請求項８】
前記仕切壁は、上板と下板とに分割して形成されていることを特徴とする請求項６または７に記載の冷蔵庫。
【請求項９】
前記意匠板には、前記貯蔵室の扉を支持するヒンジ部材が接合されていることを特徴とする請求項１〜８のいずれか１項に記載の冷蔵庫。
【請求項１０】
前記意匠板には、前記貯蔵室の扉に設けられたマグネットガスケットが磁着することを特徴とする請求項１〜９のいずれか１項に記載の冷蔵庫。
【発明の詳細な説明】
【技術分野】
【０００１】
本発明は、複数の貯蔵室を有する冷蔵庫の仕切板に係り、特に、扉が当接する意匠板を加熱して結露を防止する仕切板を備えた冷蔵庫に関するものである。
【背景技術】
【０００２】
複数の貯蔵室を有する冷蔵庫は、貯蔵室を区画する仕切板が備えられており、仕切板の前方（扉側）には扉が閉じたときに扉側のマグネットが磁着する磁性材料で構成された意匠板が取り付けられている。
【０００３】
従来このような意匠板は、端部を９０度折り曲げた折り曲げ部を有し、略コの字状断面となっている。折り曲げ部は後方（貯蔵室側）に向けられ仕切板に取り付けられている。そして、仕切板の内部には外郭の仕切壁によって形成された中空空間があり、発泡断熱材が充填されている。
【０００４】
ここで、意匠板の前面部は、意匠板の折り曲げ部と仕切壁とを伝熱媒体（ヒートブリッジ）として、貯蔵室内の空気により冷却される。すると意匠板の温度は外気の露点温度以下に低下し、外気と意匠板とが接触する部分に結露が生じる。この結露を防止するために、意匠板の裏面に放熱パイプを取り付け、意匠板の温度を露点温度以上に保つことで結露を防止している（特許文献１を参照）。
【先行技術文献】
【特許文献】
【０００５】
【特許文献１】特開２００２−３６４９７８号公報（段落［０００６］〜［０００７］、図１１を参照）。
【発明の概要】
【発明が解決しようとする課題】
【０００６】
しかしながら、従来の冷蔵庫における仕切板の構成（特許文献１を参照）では、放熱パイプから意匠板に伝わる熱は、意匠板の折り曲げ部と仕切壁とを伝熱媒体（ヒートブリッジ）として伝わり貯蔵室内へ放熱されてしまう。貯蔵室内へ放熱された熱は貯蔵室の熱負荷となり、冷蔵庫の消費電力を増大させてしまうという問題があった。
【０００７】
本発明は、上記のような課題を解決するためになされたもので、簡単な仕切壁の構成により放熱パイプの熱が意匠板の折り曲げ部から貯蔵室側へ侵入するのを防ぎ、冷蔵庫の消費電力を抑制することを目的としている。
【課題を解決するための手段】
【０００８】
本発明に係る冷蔵庫は、仕切板によって区画された複数の貯蔵室を有する冷蔵庫であって、仕切板の一端側には、意匠板が取り付けられる空隙部が開口し、空隙部内には、意匠板に当接して放熱パイプが設置され、仕切板には、空隙部と貯蔵室との間に形成され断熱材が充填された膨出部が設けられるものである。
【発明の効果】
【０００９】
本発明に係る冷蔵庫によれば、簡単な仕切壁の構成により放熱パイプの熱が意匠板の折り曲げ部から貯蔵室側へ侵入する熱流路を遮断し、冷蔵庫の消費電力を抑制することが可能となる。
【図面の簡単な説明】
【００１０】
【図１】実施の形態１に係る冷蔵庫の斜視図である。
【図２】実施の形態１に係る冷蔵庫から扉を外した状態の斜視図である。
【図３】実施の形態１に係る冷蔵庫の放熱パイプの配置を示す斜視図である。
【図４】実施の形態１に係る冷蔵庫の冷蔵室の左側扉を開いた状態の斜視図である。
【図５】実施の形態１に係る冷蔵庫の第１仕切板の前端部（扉側）のａ−ａ断面図である。
【図６】実施の形態１に係る冷蔵庫の意匠板にねじれの変形が生じたときの意匠板の形状を示したａ−ａ断面図である。
【図７】実施の形態２に係る冷蔵庫の第１仕切板の前端部（扉側）のａ−ａ断面図である。
【発明を実施するための形態】
【００１１】
以下、本発明に係る冷蔵庫について、図面を用いて説明する。
なお、以下で説明する構成は、一例であり、本発明に係る冷蔵庫は、そのような構成に限定されない。
また、細かい構造については、適宜図示を簡略化又は省略している。
また、重複又は類似する説明については、適宜簡略化又は省略している。
【００１２】
実施の形態１．
図１〜４を用いて実施の形態１に係る冷蔵庫における構造の概要を説明する。
図１は、実施の形態１に係る冷蔵庫の斜視図である。
図２は、実施の形態１に係る冷蔵庫から扉を外した状態の斜視図である。
実施の形態１に係る冷蔵庫において最上段に配置された冷蔵室７の左側扉１と冷蔵室７の右側扉２とは観音開きできるように取り付けられている。また、冷蔵室７の下部に配置された上段冷凍室扉３、製氷室扉４、下段冷凍室扉５、野菜室扉６は全て引き出し式の扉である。
【００１３】
実施の形態１に係る冷蔵庫は様々な温度帯の貯蔵室を備えている。最上段に配置された冷蔵室７は、０℃を超える冷蔵温度帯の貯蔵室である。また、上段冷凍室８、製氷室９、下段冷凍室１０は、０℃未満の冷凍温度帯の貯蔵室である。最下段に配置された野菜室１１は、冷蔵室７よりも高い冷蔵温度帯の貯蔵室である。
【００１４】
各貯蔵室は上段から順番に第１仕切板１２、第２仕切板１３、第３仕切板１４によって区画されており、第１仕切板１２の前方（扉側）には扉が開いた際の意匠性を担保する意匠板１５が取り付けられている。また、意匠板１５には冷蔵室７の左側扉１を支える左側扉用ヒンジ１７と冷蔵室７の右側扉２を支える右側扉用ヒンジ１６とが取り付けられている。第２仕切板１３の前方（扉側）には意匠板１８が取り付けられており、第３仕切板１４には意匠板１９が取り付けられている。意匠板１５、１８、１９は、対応する扉に設けられたマグネットが磁着するため、磁性材料で形成されている。
【００１５】
図３は、実施の形態１に係る冷蔵庫の放熱パイプの配置を示す斜視図である。
実施の形態１に係る冷蔵庫には、圧縮機２１を有する冷凍サイクル装置が内蔵されており、放熱パイプ２０は、凝縮器の一部として機能している。放熱パイプ２０は、意匠板１５、意匠板１８、意匠板１９の裏側に沿って取り付けられている。
【００１６】
図４は、実施の形態１に係る冷蔵庫の冷蔵室の左側扉を開いた状態の斜視図である。
冷蔵室７の左側扉１の内側には、マグネットガスケット２２が外周に沿うように取り付けられている。マグネットガスケット２２は柔軟な樹脂材料で構成されており、永久磁石を内蔵する等の手段で磁力を持たせている。なお、マグネットガスケット２２は他の貯蔵室の扉にも同様に取り付けられている。扉を閉じた際には、マグネットガスケット２２が磁力で意匠板１５に密接し、貯蔵室内の空気が外部に漏れるのを防いでいる。また、外部の空気が貯蔵室内に侵入するのを防いでいる。
【００１７】
図５は、実施の形態１に係る冷蔵庫の第１仕切板の前端部（扉側）のａ−ａ断面図である。
図５において、第１仕切板１２は、上板１２＿１と下板１２＿２とを備えた樹脂成形品の外殻によって構成されている。上板１２＿１は、冷蔵室７の底板の機能を有し、水平に配置されている。下板１２＿２は、上段冷凍室８もしくは製氷室９の天板としての機能を有し、扉側から見て奥から水平面１２＿２ａ、水平面１２＿２ａに連続し扉側に向けて下降する傾斜面１２＿２ｂ、傾斜面１２＿２ｂから扉側に向けて延設する膨出部水平面１２＿２ｃ、膨出部水平面１２＿２ｃの前端部から立ち上がる膨出部垂直面１２＿２ｄ、膨出部垂直面１２＿２ｄの上端部から水平に伸びる膨出部上面１２＿２ｅにより構成されている。
【００１８】
第１仕切板１２の前方（扉側）には、上板１２＿１から垂下する垂下部２５ａと下板１２＿２から立設する立設部２５ｂとで形成された仕切壁２５が設けられている。垂下部２５ａの下端は、立設部２５ｂに重なるように係合される。仕切壁２５の後方（貯蔵室側）には発泡断熱材を充填した内部空間２４が形成されている。内部空間２４の前方（扉側）の下側には、内部空間２４と連通し、膨出部水平面１２＿２ｃと膨出部垂直面１２＿２ｄと膨出部上面１２＿２ｅとで囲まれた膨出部２６が形成されている。膨出部２６には、内部空間２４内に充填した発泡断熱材が同様に一体として充填されている。また、仕切壁２５の前方（扉側）には上板１２＿１と仕切壁２５と膨出部上面１２＿２ｅとで凹形状となる空隙部２３が形成されている。
【００１９】
空隙部２３には、幅方向に沿って蓋をするようにして取り付けた意匠板１５が設けられている。意匠板１５は、前面部１５ａと前面部１５ａの上端と下端を９０度折り曲げた折り曲げ部１５ｂとでコの字状断面に構成されている。意匠板１５は前面部１５ａにより空隙部２３の開口部を覆うように配設され、上端の折り曲げ部１５ｂが上板１２＿１の下面に当接し、下端の折り曲げ部１５ｂが膨出部水平面１２＿２ｃの上面に当接して保持される。意匠板１５は、幅方向の両端部を仕切壁２５にネジ等で固定することによって、第１仕切板１２の前方（扉側）に取り付けられる。
【００２０】
空隙部２３の内部には、冷凍サイクルの一部を構成する放熱パイプ２０と、柔軟性を有する断熱材２３ａが収納されている。放熱パイプ２０は断熱材２３ａの弾性力により意匠板１５の前面部１５ａに押しつけられ、凝縮熱を意匠板１５の前面部１５ａに供給する。
【００２１】
また、意匠板１５の前面部１５ａには、冷蔵室７の扉を開閉自在に支持する右側扉用ヒンジ１６と左側扉用ヒンジ１７とがボルト１６ｂ、１７ｂにより取り付けられている。右側扉用ヒンジ１６と左側扉用ヒンジ１７とは、意匠板１５の前面部１５ａにボルト１６ｂ、１７ｂにて取り付けられる断面Ｌ字形状のＬ字金物１６ａ、１７ａと、Ｌ字金物１６ａ、１７ａに設けられたヒンジピン１６ｃ、１７ｃとで形成されている。ヒンジピン１６ｃ、１７ｃには、冷蔵室７の左側扉１と冷蔵室７の右側扉２とが取り付けられ、各扉の回動が可能になる。また、Ｌ字金物１６ａ、１７ａと意匠板１５の前面部１５ａにはボルト１６ｂ、１７ｂが挿入される取付孔が開口している。
【００２２】
冷蔵室７の左側扉１、冷蔵室７の右側扉２、製氷室扉４が閉じた際に意匠板１５の前面部１５ａに当接する位置には、図５に示すようにマグネットガスケット２２が配置されており、マグネットガスケット２２の内部にはマグネット２２ａが封入されている。なお、マグネットガスケット２２は他の貯蔵室の扉にも同様に取り付けられている。
【００２３】
このように構成した実施の形態１に係る冷蔵庫の機能及び作用を説明する。
図５に示した第１仕切板１２を例として説明する。
意匠板１５は、第１仕切板１２に隣接する貯蔵室である冷蔵室７、上段冷凍室８、製氷室９内の冷気により意匠板１５の折り曲げ部１５ｂと第１仕切板１２の上板１２＿１及び下板１２＿２とを伝熱媒体（ヒートブリッジ）として冷却され得る環境に配置されている。
【００２４】
本実施の形態１に係る第１仕切板１２の構成では、意匠板１５の背面側に配置された放熱パイプ２０の熱により意匠板１５が加熱され、外気に接する意匠板１５の前面部１５ａが外気の露点温度以上に保たれることによって結露を防止する。その際に、第１仕切板１２の下板１２＿２に発泡断熱材が充填された膨出部２６を設けたことにより、特に庫内温度の低い上段冷凍室８や製氷室９側の意匠板１５の折り曲げ部１５ｂから放熱パイプ２０の熱が各貯蔵室に放熱することを抑制することができる。
【００２５】
このように膨出部２６により意匠板１５からの放熱を抑制することで、意匠板１５の結露を防止するとともに、放熱パイプ２０の熱が貯蔵室に侵入することを遮断して冷蔵庫の消費電力を抑制することができる。
また、膨出部２６は第１仕切板１２の内部空間２４に連通しており、発泡断熱材が内部空間２４と一体化して充填されるため、内部空間２４と別体で断熱材を配置することに比べて簡易な構成で貯蔵室に侵入する熱を遮断することが可能になる。
【００２６】
なお、膨出部２６は、第１仕切板１２に隣接する貯蔵室の庫内温度が低く熱の移動が大きい下板１２＿２に設けた例を示したが、冷蔵室７側にも放熱は存在するため、第１仕切板１２の上板１２＿１にも同様の膨出部２６を設けることで、意匠板１５への結露や、冷蔵室７への放熱を抑制することができる。
【００２７】
次に、実施の形態１に係る冷蔵庫の意匠板１５が変形した場合の形状及び作用について説明する。
図６は、実施の形態１に係る冷蔵庫の意匠板にねじれの変形が生じたときの意匠板の形状を示したａ−ａ断面図である。
冷蔵室７の左側扉１または右側扉２を支持する両ヒンジ１６、１７には、扉の荷重や扉開閉時の応力によってねじれ変形が生じることがある。
【００２８】
このとき、各ヒンジ１６、１７のねじれ変形によりボルト１６ｂ、１７ｂにて接合された意匠板１５が図６のように変形する。意匠板１５は、上端の折り曲げ部１５ｂが上板１２＿１の下面に摺動自在に当接し、下端の折り曲げ部１５ｂが膨出部水平面１２＿２ｃの上面に摺動自在に当接して保持されているから、意匠板１５が変形すると折り曲げ部１５ｂが空隙部２３から抜け出す方向に移動する。
【００２９】
しかしながら、意匠板１５は図６に示す変形寸法ｄよりも折り曲げ部１５ｂの奥行き長さＬが大きい範囲では、空隙部２３から抜け出ることはなく、空隙部２３内が露出することもない。
このように、コの字形状断面を有する意匠板１５を空隙部２３に挿入することで、意匠板１５が変形しても第１仕切板１２の前面側の意匠性を確保することができ、また、空隙部２３から意匠板１５が外れてしまうトラブルを回避することが可能になる。
【００３０】
以上まとめると、実施の形態１に係る冷蔵庫によれば、意匠板１５の温度を露点温度以上に保つことで結露を防止することができるとともに、意匠板１５の温度上昇に伴う熱が意匠板１５の折り曲げ部１５ｂを介して貯蔵室内に侵入することを抑制し消費電力を削減することができる。また、意匠板１５にねじれ変形を生じる応力が発生しても、意匠板１５の折り曲げ部１５ｂの奥行き長さＬを充分長くすることで、意匠板１５による意匠性を担保することができる。
【００３１】
実施の形態２．
図７は、実施の形態２に係る冷蔵庫の第１仕切板の前端部（扉側）のａ−ａ断面図である。
実施の形態１に係る冷蔵庫では、第１仕切板１２内の内部空間２４と膨出部２６とに発泡断熱材を充填して断熱性能を担保したが、実施の形態２に係る冷蔵庫では、第１仕切板１２の下板１２＿２上に沿って膨出部２６の中まで真空断熱材２７を設置した点で実施の形態１と相違する。
【００３２】
実施の形態２に係る第１仕切板１２の下板１２＿２上には発泡断熱材よりも断熱効果の高い真空断熱材２７が設置してあるため第１仕切板１２の断熱性能が向上するのに加えて、膨出部２６内に真空断熱材２７が配置されることで、特に庫内温度の低い上段冷凍室８や製氷室９側の意匠板１５の折り曲げ部１５ｂから放熱パイプ２０の熱が各貯蔵室内に放熱されることを抑制することができる。
【００３３】
このように膨出部２６を真空断熱材２７で断熱することにより意匠板１５からの放熱を抑制し、意匠板１５の結露を防止するとともに、放熱パイプ２０の熱が貯蔵室に侵入することを遮断して冷蔵庫の消費電力を抑制することができる。
【００３４】
なお、膨出部２６は、第１仕切板１２に隣接する庫内温度が低く熱の移動が大きい下板１２＿２に設けた例を示したが、冷蔵室７側にも放熱は存在するため、第１仕切板１２の上板１２＿１にも同様の膨出部２６を設けることで、意匠板１５への結露や、冷蔵室７への放熱の抑制が可能となることは実施の形態１と同様である。また、他の貯蔵室に対しても同様に配することが可能である。
【符号の説明】
【００３５】
１  冷蔵室の左側扉、２  冷蔵室の右側扉、３  上段冷凍室扉、４  製氷室扉、５  下段冷凍室扉、６  野菜室扉、７  冷蔵室、８  上段冷凍室、９  製氷室、１０  下段冷凍室、１１  野菜室、１２  第１仕切板、１２＿１  上板、１２＿２  下板、１２＿２ａ  水平面、１２＿２ｂ  傾斜面、１２＿２ｃ  膨出部水平面、１２＿２ｄ  膨出部垂直面、１２＿２ｅ  膨出部上面、１３  第２仕切板、１４  第３仕切板、１５  意匠板、１５ａ  前面部、１５ｂ  折り曲げ部、１６  右側扉用ヒンジ、１６ａ  Ｌ字金物、１６ｂ  ボルト、１６ｃ  ヒンジピン、１７  左側扉用ヒンジ、１７ａ  Ｌ字金物、１７ｂ  ボルト、１７ｃ  ヒンジピン、１８  意匠板、１９  意匠板、２０  放熱パイプ、２１  圧縮機、２２  マグネットガスケット、２２ａ  マグネット、２３  空隙部、２３ａ  断熱材、２４  内部空間、２５  仕切壁、２５ａ  垂下部、２５ｂ  立設部、２６  膨出部、２７  真空断熱材。
【図１】
2015148381.tif 000003
【図２】
2015148381.tif 000004
【図３】
2015148381.tif 000005
【図４】
2015148381.tif 000006
【図５】
2015148381.tif 000007
【図６】
2015148381.tif 000008
【図７】
2015148381.tif 000009